(57)【要約】【課題】未公開のコンテンツを生成する。【解決手段】端末で再生される放送内容、放送内容に対応づけられたリンク、および、リンク先にコンテンツを生成するのに用いられるコンテンツ生成情報を含むデジタル放送の放送波を受信する放送波受信部と、放送波受信部が放送波を受信した場合に、放送波に含まれるコンテンツ生成情報に基づいたコンテンツを生成するコンテンツ生成部と、コンテンツ生成部により生成されたコンテンツを放送波に含まれるリンク先に対応付けて格納するコンテンツ格納部と、端末からリンク先のコンテンツを送信すべき旨の要求があった場合に、当該リンク先に対応付けてコンテンツ格納部に格納されたコンテンツを端末に送信するコンテンツ送信部とを備える。【選択図】図２
2008085496.tif 000002
【特許請求の範囲】
【請求項１】
端末で再生される放送内容、前記放送内容に対応づけられたリンク、および、前記リンク先にコンテンツを生成するのに用いられるコンテンツ生成情報を含むデジタル放送の放送波を受信する放送波受信部と、
前記放送波受信部が前記放送波を受信した場合に、前記放送波に含まれるコンテンツ生成情報に基づいたコンテンツを生成するコンテンツ生成部と、
前記コンテンツ生成部により生成された前記コンテンツを前記放送波に含まれる前記リンク先に対応付けて格納するコンテンツ格納部と、
前記端末から前記リンク先のコンテンツを送信すべき旨の要求があった場合に、当該リンク先に対応付けて前記コンテンツ格納部に格納された前記コンテンツを前記端末に送信するコンテンツ送信部と
を備えるコンテンツサーバ。
【請求項２】
端末で再生される放送内容、前記放送内容に対応づけられたリンク、および、前記リンク先にコンテンツを生成するのに用いられるコンテンツ生成情報を含むデジタル放送の放送波を受信する放送波受信部と、
前記放送波受信部が前記放送波を受信した場合に、前記放送波に含まれるコンテンツ生成情報を前記リンク先に対応付けて格納するコンテンツ生成情報格納部と、
前記端末から前記リンク先のコンテンツを送信すべき旨の要求があった場合に、当該リンク先に対応付けて前記コンテンツ格納部に格納された前記コンテンツ生成情報に基づいてコンテンツを生成するコンテンツ生成部と、
前記コンテンツ生成部により生成された前記コンテンツを前記端末に送信するコンテンツ送信部と
を備えるコンテンツサーバ。
【請求項３】
前記コンテンツ送信部は、前記端末のユーザにより入力されたユーザ入力情報を前記端末から受信し、
前記コンテンツサーバは、前記コンテンツ送信部により受信された前記ユーザ入力情報を格納する入力情報格納部をさらに備え、
前記コンテンツ生成部は、前記放送波に含まれる前記コンテンツ生成情報に加えて、前記入力情報格納部に格納された前記ユーザ入力情報に基づいて、前記コンテンツを生成する請求項１、２に記載のコンテンツサーバ。
【請求項４】
前記コンテンツサーバは、前記コンテンツを生成するのに用いられるテンプレートを格納するテンプレート格納部をさらに備え、
前記コンテンツ生成部は、前記放送波に含まれる前記コンテンツ生成情報に加えて、前記テンプレート格納部に格納された前記テンプレートに基づいて、前記コンテンツを生成する請求項１、２に記載のコンテンツサーバ。
【請求項５】
前記放送波受信部は、前記コンテンツ生成情報として、前記放送内容に関連する質問事項を含む質問画面を生成するのに用いられる質問画面生成情報、または、質問の集計結果を含む集計画面を生成するのに用いられる集計画面生成情報を含む放送波を受信し、
前記コンテンツ生成部は、前記放送波受信部が前記質問画面生成情報を含む前記放送波を受信した場合に、前記コンテンツとして、当該質問画面生成情報に基づいた前記質問画面を生成し、
前記コンテンツ送信部は、前記端末から前記質問画面を送信すべき旨の要求があった場合に、前記コンテンツ生成部により生成された前記質問画面を前記端末に送信し、前記質問画面を送信した後に、前記端末から前記質問事項に対する回答情報を受信し、
前記入力情報格納部は、前記コンテンツ送信部により受信された前記回答情報を格納し、
前記コンテンツ生成部は、前記放送波受信部が前記集計画面生成情報を含む前記放送波を受信した場合には、前記コンテンツとして、当該集計画面生成情報、および、前記入力情報格納部に格納された前記回答情報に基づいて前記集計画面を生成し、
前記コンテンツ送信部は、前記端末から前記集計画面を送信すべき旨の要求があった場合に、前記コンテンツ生成部により生成された前記集計画面を前記端末に送信する請求項３に記載のコンテンツサーバ。
【請求項６】
放送内容、前記放送内容に対応づけられたリンク、および、前記リンク先にコンテンツを生成するのに用いられるコンテンツ生成情報を含むデジタル放送の放送波を出力する放送サーバと、
前記コンテンツを送信するコンテンツサーバと、
前記放送サーバにより放送される前記放送波、および、前記コンテンツサーバにより送信される前記コンテンツを受信する端末と
を備えるコンテンツ送信システムであって、
前記コンテンツサーバは、
前記放送波を受信する放送波受信部と、
前記放送波受信部が前記放送波を受信した場合に、前記放送波に含まれるコンテンツ生成情報に基づいたコンテンツを生成するコンテンツ生成部と、
前記コンテンツ生成部により生成された前記コンテンツを前記放送波に含まれる前記リンク先に対応付けて格納するコンテンツ格納部と、
前記端末から前記リンク先のコンテンツを送信すべき旨の要求があった場合に、当該リンク先に対応付けて前記コンテンツ格納部に格納された前記コンテンツを前記端末に送信するコンテンツ送信部と
を有し、
前記端末は、
前記放送波を受信する放送波受信部と、
前記放送波に含まれる前記放送内容および前記リンク、または、前記コンテンツサーバから送信される前記コンテンツを表示する表示部と、
前記端末のユーザから、前記表示部により表示されている前記リンク先のコンテンツを送信すべき旨の要求を受け付けるリンク受付部と、
前記リンク受付部により受け付けられた前記リンク先のコンテンツを送信すべき旨の要求を前記コンテンツサーバに送信し、当該コンテンツを受信するコンテンツ受信部と
を有するコンテンツ送信システム。
【請求項７】
放送内容、前記放送内容に対応づけられたリンク、および、前記リンク先にコンテンツを生成するのに用いられるコンテンツ生成情報を含むデジタル放送の放送波を出力する放送サーバと、
前記コンテンツを送信するコンテンツサーバと、
前記放送サーバにより放送される前記放送波、および、前記コンテンツサーバにより送信される前記コンテンツを受信する端末と
を備えるコンテンツ送信システムであって、
前記コンテンツサーバは、
前記放送波を受信する放送波受信部と、
前記放送波受信部が前記放送波を受信した場合に、前記放送波に含まれるコンテンツ生成情報を前記リンク先に対応付けて格納するコンテンツ生成情報格納部と、
前記端末から前記リンク先のコンテンツを送信すべき旨の要求があった場合に、当該リンク先に対応付けて前記コンテンツ格納部に格納された前記コンテンツ生成情報に基づいてコンテンツを生成するコンテンツ生成部と、
前記コンテンツ生成部により生成された前記コンテンツを前記端末に送信するコンテンツ送信部と
を有し、
前記端末は、
前記放送波を受信する放送波受信部と、
前記放送波に含まれる前記放送内容および前記リンク、または、前記コンテンツサーバから送信される前記コンテンツを表示する表示部と、
前記端末のユーザから、前記表示部により表示されている前記リンク先のコンテンツを送信すべき旨の要求を受け付けるリンク受付部と、
前記リンク受付部により受け付けられた前記リンク先のコンテンツを送信すべき旨の要求を前記コンテンツサーバに送信し、当該コンテンツを受信するコンテンツ受信部と
を有するコンテンツ送信システム。
【発明の詳細な説明】
【技術分野】
【０００１】
本発明は、コンテンツサーバおよびコンテンツ送信システムに関する。特に、本発明は、放送波に含まれるコンテンツ生成情報に基づいたコンテンツを生成するコンテンツサーバおよびコンテンツ送信システムに関する。
【背景技術】
【０００２】
放送局から放送されるデジタル放送を受信する携帯型デジタル放送受信端末が知られている（例えば、特許文献１参照）。特許文献１に記載の携帯型デジタル放送受信端末などのいわゆるワンセグケータイは、デジタル放送の受信に加え、回線を介して放送番組に関連するコンテンツを格納したサーバにアクセスする。
【０００３】
また、放送局からの携帯端末向けのデジタル放送を受信し、デジタル放送のトランスポートストリーム（Ｔｒａｎｓｐｏｒｔ  Ｓｔｒｅａｍ、以下「ＴＳ」という。）から補完視聴サービス用コンテンツを生成する補完視聴サービスサーバが知られている（例えば、特許文献２参照）。この補完視聴サービスサーバは、携帯端末において再生される映像を用いてそのダイジェスト版などのコンテンツを生成する。
【特許文献１】特開２００４−２８２３５０号公報
【特許文献２】特開２００４−３４９９３２号公報
【発明の開示】
【発明が解決しようとする課題】
【０００４】
ワンセグケータイによってアクセスされるサーバは、しかるべき時刻までにリンク情報を格納してなければならないという、リアルタイム性の実現および確保が問題となる。一方で、コンテンツは、サーバとは別体である生成装置により生成され、有線のネットワークを介してサーバに送信されている。したがって、生成装置とサーバとのあいだに広帯域なネットワークを敷設することになり費用が掛かるという課題がある。また、そのネットワークの可用性を確保するためなどの管理を要するという課題がある。
【０００５】
また、特許文献２に記載の補完視聴サービスサーバによって生成されるコンテンツは、公開された番組を再編集した映像である。すなわち、この補完視聴サービスサーバは、公開済みのコンテンツを生成するが、未公開のコンテンツを生成することができないという課題がある。
【課題を解決するための手段】
【０００６】
上記課題を解決するために、本発明の第１の形態においては、端末で再生される放送内容、放送内容に対応づけられたリンク、および、リンク先にコンテンツを生成するのに用いられるコンテンツ生成情報を含むデジタル放送の放送波を受信する放送波受信部と、放送波受信部が放送波を受信した場合に、放送波に含まれるコンテンツ生成情報に基づいたコンテンツを生成するコンテンツ生成部と、コンテンツ生成部により生成されたコンテンツを放送波に含まれるリンク先に対応付けて格納するコンテンツ格納部と、端末からリンク先のコンテンツを送信すべき旨の要求があった場合に、当該リンク先に対応付けてコンテンツ格納部に格納されたコンテンツを端末に送信するコンテンツ送信部とを備える。これにより、広帯域な有線のネットワークを敷設することなく、リンク先にコンテンツを格納させることができる。また、未公開のコンテンツを自動的に生成することができる。
【０００７】
なお、上記の発明の概要は、本発明の必要な特徴の全てを列挙したものではなく、これらの特徴群のサブコンビネーションもまた、発明となりうる。
【発明を実施するための最良の形態】
【０００８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００９】
図１は、コンテンツ送信システム１０の概略図を模式的に示す。コンテンツ送信システム１０は、放送サーバ２０、コンテンツサーバ３０および携帯情報端末４０を備える。放送サーバ２０は、デジタル放送の放送波を出力する。放送波は、放送内容、放送内容に対応づけられたリンク、および、そのリンク先にコンテンツを生成するのに用いられるコンテンツ生成情報を含む。
【００１０】
放送サーバ２０から出力される放送波の一例は、映像、音声、字幕およびデータ放送を含むＴＳである。放送内容は、映像、音声、字幕およびデータ放送として出力される。リンクおよびコンテンツ生成情報は、データ放送として出力される。データ放送は、例えば、ＢＭＬ（Ｂｒｏａｄｃａｓｔ  Ｍａｒｋｕｐ  Ｌａｎｇｕａｇｅ）を用いて記述される。
【００１１】
コンテンツサーバ３０は、放送サーバ２０から出力される放送波を受信する。また、コンテンツサーバ３０は、受信した放送波に含まれているコンテンツ生成情報に基づいて、コンテンツを生成する。なお、コンテンツサーバ３０は、例えば、ＢＭＬを用いてコンテンツを生成する。
【００１２】
携帯情報端末４０は、端末の一例であってディスプレイ４２および操作パネル４８を備える。携帯情報端末４０は、放送サーバ２０により出力される放送波を受信する。また、携帯情報端末４０は、ネットワーク７０を介してコンテンツサーバ３０に格納されたコンテンツを受信する。ネットワーク７０は、携帯電話網およびインターネットなどである。
【００１３】
図２は、コンテンツサーバ３０および携帯情報端末４０のブロック図の一例を示す。コンテンツサーバ３０は、放送波受信部３００、コンテンツ生成部３１０、コンテンツ格納部３２０、コンテンツ送信部３３０、入力情報格納部３４０、および、テンプレート格納部３５０を備える。
【００１４】
テンプレート格納部３５０は、コンテンツを生成するのに用いられるテンプレートを格納する。入力情報格納部３４０は、携帯情報端末４０のユーザにより入力されたユーザ入力情報を格納する。
【００１５】
放送波受信部３００は、放送サーバ２０から出力される放送波を受信する。また、コンテンツ生成部３１０は、放送波に含まれるコンテンツ生成情報、および、テンプレート格納部３５０に格納されたテンプレートに基づいて、コンテンツを生成する。さらに、コンテンツ格納部３２０は、コンテンツ生成部３１０により生成されたコンテンツを放送波に含まれるリンク先に対応付けて格納する。
【００１６】
一方、携帯情報端末４０は、放送波受信部４００、表示部４１０、リンク受付部４２０、入力情報受付部４３０、コンテンツ受信部４４０を備える。
【００１７】
放送波受信部４００は、放送サーバ２０から出力される放送波を受信する。表示部４１０は、放送波受信部４００が放送波を受信した場合に、放送波に含まれる放送内容およびリンクを表示する。リンク受付部４２０は、携帯情報端末４０のユーザから、表示部４１０により表示されているリンク先のコンテンツを送信すべき旨の要求を受け付ける。コンテンツ受信部４４０は、リンク受付部４２０により受け付けられたリンク先のコンテンツを送信すべき旨の要求をコンテンツサーバ３０のコンテンツ送信部３３０に送信する。
【００１８】
コンテンツサーバ３０のコンテンツ送信部３３０は、携帯情報端末４０のコンテンツ受信部４４０からリンク先のコンテンツを送信すべき旨の要求があった場合に、そのリンク先に対応付けてコンテンツ格納部３２０に格納されたコンテンツを携帯情報端末４０のコンテンツ受信部４４０に送信する。
【００１９】
携帯情報端末４０のコンテンツ受信部４４０は、コンテンツサーバ３０のコンテンツ送信部３３０から、コンテンツを受信する。携帯情報端末４０の表示部４１０は、コンテンツ受信部４４０がコンテンツを受信した場合に、そのコンテンツを表示する。
【００２０】
携帯情報端末４０の入力情報受付部４３０は、携帯情報端末４０のユーザからの入力を受け付ける。この場合、携帯情報端末４０のコンテンツ受信部４４０は、入力情報受付部４３０により受け付けられた情報であるユーザ入力情報をコンテンツサーバ３０のコンテンツ送信部３３０に送信する。コンテンツサーバ３０のコンテンツ送信部３３０は、受信したユーザ入力情報を入力情報格納部３４０に格納する。
【００２１】
ここで、コンテンツサーバ３０のコンテンツ生成部３１０は、放送波に含まれるコンテンツ生成情報、および、テンプレート格納部３５０に格納されたテンプレートに基づいてコンテンツを生成することにかえて、放送波に含まれるコンテンツ生成情報、テンプレート格納部３５０に格納されたテンプレート、および、入力情報格納部３４０に格納されたユーザ入力情報に基づいてコンテンツを生成してもよい。具体的には、放送波に含まれるコンテンツ生成情報は、何れの情報を用いてコンテンツを生成するのかを制御する制御情報を含み、コンテンツサーバ３０のコンテンツ生成部３１０は、この制御情報を参照してコンテンツを生成してもよい。
【００２２】
図３は、図２に示すコンテンツサーバ３０等の動作の一例を示すフローチャートである。なお、本フローチャートの左側は携帯情報端末４０の動作を、右側はコンテンツサーバ３０の動作を示す。図４は、携帯情報端末４０のディスプレイ４２に表示された情報の一例を示す。
【００２３】
本フローチャートは、放送サーバ２０が放送内容、リンク、および、コンテンツ生成情報を含む放送波を出力することにより開始する。ここでは放送サーバ２０が、放送内容「バラエティー番組」、リンク「ｈｔｔｐ：／／ＸＸＸ．ｊｐ／Ｙ１．ｂｍｌ」、および、コンテンツ生成情報「質問画面生成情報」を含む放送波を出力することにより開始するものとする。
【００２４】
なお、説明のために下記事例を用いる。まず、コンテンツ生成情報「質問画面生成情報」は、放送内容「バラエティー番組」に関連する質問事項を含むコンテンツ「質問画面」を生成するのに用いられる情報であって、コンテンツサーバ３０がコンテンツ「質問画面」を生成する制御情報、および、コンテンツ「質問画面」の素材であるテキスト「投票しよう。」「Ａが勝つ」「Ｂが勝つ」を保持する。また、本フローチャートの開始時において、テンプレート格納部３５０は、コンテンツ「質問画面」を生成するのに用いられるテンプレートを格納している。さらに、コンテンツサーバ３０は、ドメイン名「ｈｔｔｐ：／／ＸＸＸ．ｊｐ」によりネットワーク７０において特定されるものとする。また、コンテンツサーバ３０は、コンテンツ格納部３２０として予め定められたルートディレクトリにコンテンツを格納する。
【００２５】
本フローチャートにおいて、まず、携帯情報端末４０の放送波受信部４００は放送波を受信する（Ｓ１００）。携帯情報端末４０の表示部４１０は、図４（ａ）に示すように、データ表示領域４６に、放送含まれるリンク「ｈｔｔｐ：／／ＸＸＸ．ｊｐ／Ｙ１．ｂｍｌ」を表示する（Ｓ１１０）。なお、携帯情報端末４０の表示部４１０は、映像表示領域４４に放送内容「バラエティー番組」の映像を表示し（同ステップ）、データ表示領域４６に放送内容「バラエティー番組」のデータ放送「○○！！勝つのはどっち？」を表示する（同ステップ）。
【００２６】
コンテンツサーバ３０の放送波受信部３００は放送波を受信する（Ｓ２００）。受信した放送波に基づいて、コンテンツ生成部３１０は、コンテンツ生成情報「質問画面生成情報」、および、テンプレート格納部３５０に格納されたテンプレートに基づいて、放送内容「バラエティー番組」に関連するコンテンツ「質問画面」を生成し（Ｓ２１０）する。さらに、コンテンツ生成部３１０は、生成したコンテンツ「質問画面」をリンク先であるルートディレクトリ直下にファイル名「Ｙ１．ｂｍｌ」として格納する（Ｓ２２０）。
【００２７】
携帯情報端末４０のリンク受付部４２０は、ステップＳ１１０において表示されたリンク「ｈｔｔｐ：／／ＸＸＸ．ｊｐ／Ｙ１．ｂｍｌ」がクリックされたか否かを判断する（Ｓ１２０）。ステップＳ１２０においてリンク受付部４２０はリンク「ｈｔｔｐ：／／ＸＸＸ．ｊｐ／Ｙ１．ｂｍｌ」がクリックされたと判断した場合に（Ｓ１２０：Ｙｅｓ）、コンテンツ受信部４４０は、リンク「ｈｔｔｐ：／／ＸＸＸ．ｊｐ／Ｙ１．ｂｍｌ」により示されたファイル名「Ｙ１．ｂｍｌ」であるコンテンツ「質問画面」を送信すべき旨の要求をコンテンツサーバ３０のコンテンツ送信部３３０に送信する（Ｓ１３０）。一方、ステップＳ１２０において携帯情報端末４０のリンク受付部４２０はリンク「ｈｔｔｐ：／／ＸＸＸ．ｊｐ／Ｙ１．ｂｍｌ」がクリックされていないと判断した場合には（Ｓ１２０：Ｎｏ）、ステップＳ１３０からステップＳ１６０を飛ばして本フローチャートは終了する。
【００２８】
上記ステップＳ１３０に続いて、コンテンツサーバ３０のコンテンツ送信部３３０は、ファイル名「Ｙ１．ｂｍｌ」であるコンテンツ「質問画面」を送信すべき旨の要求を受信したか否かを判断する（Ｓ２３０）。ステップＳ２３０においてコンテンツ送信部３３０は、ファイル名「Ｙ１．ｂｍｌ」であるコンテンツ「質問画面」を送信すべき旨の要求を受信したと判断した場合に（Ｓ２３０：Ｙｅｓ）、ファイル名「Ｙ１．ｂｍｌ」であるコンテンツ「質問画面」を携帯情報端末４０のコンテンツ受信部４４０に送信する（Ｓ２４０）。一方、ステップＳ２３０においてコンテンツサーバ３０のコンテンツ送信部３３０は、ファイル名「Ｙ１．ｂｍｌ」であるコンテンツ「質問画面」を送信すべき旨の要求を受信していないと判断した場合には（Ｓ２３０：Ｎｏ）、ステップＳ２４０からステップＳ２６０を飛ばして本フローチャートは終了する。
【００２９】
上記ステップＳ２４０に続いて、携帯情報端末４０のコンテンツ受信部４４０は当該コンテンツ「質問画面」を受信し、受信したコンテンツに基づいて、表示部４１０は、図４（ｂ）に示すように、データ表示領域４６にテキスト「投票しよう。」、選択入力項目「Ａが勝つ」「Ｂが勝つ」を含むコンテンツ「質問画面」を表示する（Ｓ１４０）。なお、携帯情報端末４０の表示部４１０は、映像表示領域４４に放送内容「バラエティー番組」の映像を表示している（同ステップ）。
【００３０】
携帯情報端末４０の入力情報受付部４３０は、携帯情報端末４０のユーザからの選択入力項目の入力を受け付けたか否かを判断する（Ｓ１５０）。ステップＳ１５０において入力情報受付部４３０は携帯情報端末４０のユーザからの選択入力項目の入力を受け付けたと判断した場合には（Ｓ１５０：Ｙｅｓ）、携帯情報端末４０のコンテンツ受信部４４０は、回答情報としてコンテンツサーバ３０のコンテンツ送信部３３０に送信する（Ｓ１６０）。一方、ステップＳ１５０において携帯情報端末４０の入力情報受付部４３０は携帯情報端末４０のユーザからの選択入力項目の入力を受け付けていないと判断した場合には（Ｓ１５０：Ｎｏ）、ステップＳ１６０を飛ばして本フローチャートは終了する。
【００３１】
上記ステップＳ１６０に続いて、コンテンツサーバ３０のコンテンツ送信部３３０は、ユーザ入力情報である回答情報を受信したか否かを判断する（Ｓ２５０）。ステップＳ２５０においてコンテンツ送信部３３０は回答情報を受信したと判断した場合には（Ｓ２５０：Ｙｅｓ）、受信した回答情報を入力情報格納部３４０に格納する（Ｓ２６０）。そして本フローチャートは終了する。一方、ステップＳ２５０においてコンテンツサーバ３０のコンテンツ送信部３３０は回答情報を受信していないと判断した場合には（Ｓ２５０：Ｎｏ）、ステップＳ２６０を飛ばして本フローチャートは終了する。
【００３２】
本フローチャートによれば、コンテンツサーバ３０は、コンテンツ生成情報「質問画面生成情報」、および、テンプレート格納部３５０に格納されたテンプレートに基づいて、放送内容「バラエティー番組」に関連する、未公開であるコンテンツ「質問画面」を自動的に生成することができる。
【００３３】
図５は、図３に続いて、図２に示すコンテンツサーバ３０等の動作の一例を示すフローチャートである。図６は、携帯情報端末４０のディスプレイ４２に表示された情報の一例を示す。
【００３４】
本フローチャートは、放送サーバ２０が放送内容、リンク、および、図３のコンテンツ生成情報に続くコンテンツ生成情報を含む放送波を出力することにより開始する。ここでは放送サーバ２０が、放送内容「バラエティー番組」、リンク「ｈｔｔｐ：／／ＸＸＸ．ｊｐ／Ｙ２．ｂｍｌ」、および、コンテンツ生成情報「集計画面生成情報」を含む放送波を出力することにより開始する。
【００３５】
図３の場合と同様に、説明のために下記事例を用いる。コンテンツ生成情報「集計画面生成情報」は、質問の集計結果を含むコンテンツ「集計画面」を生成するのに用いられる情報であって、コンテンツサーバ３０がコンテンツ「集計画面」を生成する制御情報、および、コンテンツ「集計画面」の素材であるテキスト「○○の集計結果です。」「Ａが勝つ」「Ｂが勝つ」を保持する。また、本フローチャートの開始時において、テンプレート格納部３５０は、コンテンツ「集計画面」を生成するのに用いられるテンプレートを格納している。また、入力情報格納部３４０は、複数のユーザから受信した回答情報を格納している。なお、他の条件は、図３に示すフローチャートの場合と同様とする。
【００３６】
携帯情報端末４０の放送波受信部４００は放送波を受信する（Ｓ３００）。携帯情報端末４０の表示部４１０は、図６（ａ）に示すように、データ表示領域４６にリンク「ｈｔｔｐ：／／ＸＸＸ．ｊｐ／Ｙ２．ｂｍｌ」を表示する（Ｓ３１０）。なお、携帯情報端末４０の表示部４１０は、映像表示領域４４に放送内容「バラエティー番組」の映像を表示し（同ステップ）、データ表示領域４６に放送内容「バラエティー番組」のデータ放送「○○の集計結果はこちら」を表示する（同ステップ）。
【００３７】
コンテンツサーバ３０の放送波受信部３００は放送波を受信する（Ｓ４００）。コンテンツサーバ３０のコンテンツ生成部３１０は、コンテンツ生成情報「集計画面生成情報」、テンプレート格納部３５０に格納されたテンプレート、および、入力情報格納部３４０に格納された回答情報に基づいて、放送内容「バラエティー番組」に関連するコンテンツ「集計画面」を生成し（Ｓ４１０）、生成したコンテンツ「集計画面」をリンク先であるルートディレクトリ直下にファイル名「Ｙ２．ｂｍｌ」として格納する（Ｓ４２０）。
【００３８】
携帯情報端末４０のリンク受付部４２０は、ステップＳ３１０において表示されたリンク「ｈｔｔｐ：／／ＸＸＸ．ｊｐ／Ｙ２．ｂｍｌ」がクリックされたか否かを判断する（Ｓ３２０）。ステップＳ３２０においてリンク受付部４２０はリンク「ｈｔｔｐ：／／ＸＸＸ．ｊｐ／Ｙ２．ｂｍｌ」がクリックされたと判断した場合には（Ｓ３２０：Ｙｅｓ）、携帯情報端末４０のコンテンツ受信部４４０は、リンク「ｈｔｔｐ：／／ＸＸＸ．ｊｐ／Ｙ２．ｂｍｌ」により示されたファイル名「Ｙ２．ｂｍｌ」であるコンテンツ「集計画面」を送信すべき旨の要求をコンテンツサーバ３０のコンテンツ送信部３３０に送信する（Ｓ３３０）。一方、ステップＳ３２０において携帯情報端末４０のリンク受付部４２０はリンク「ｈｔｔｐ：／／ＸＸＸ．ｊｐ／Ｙ２．ｂｍｌ」がクリックされていないと判断した場合には（Ｓ３２０：Ｎｏ）、ステップＳ３３０およびステップＳ３４０を飛ばして本フローチャートは終了する。
【００３９】
上記ステップＳ３３０に続き、コンテンツサーバ３０のコンテンツ送信部３３０は、ファイル名「Ｙ２．ｂｍｌ」であるコンテンツ「集計画面」を送信すべき旨の要求を受信したか否かを判断する（Ｓ４３０）。ステップＳ４３０においてコンテンツ送信部３３０は、ファイル名「Ｙ２．ｂｍｌ」であるコンテンツ「集計画面」を送信すべき旨の要求を受信したと判断した場合には（Ｓ４３０：Ｙｅｓ）、コンテンツ送信部３３０は、ファイル名「Ｙ２．ｂｍｌ」であるコンテンツ「集計画面」を携帯情報端末４０のコンテンツ受信部４４０に送信する（Ｓ４４０）。一方、ステップＳ４３０においてコンテンツサーバ３０のコンテンツ送信部３３０は、ファイル名「Ｙ２．ｂｍｌ」であるコンテンツ「集計画面」を送信すべき旨の要求を受信していないと判断した場合には（Ｓ４３０：Ｎｏ）、ステップＳ４４０を飛ばして本フローチャートは終了する。
【００４０】
上記ステップＳ４４０に続き、携帯情報端末４０のコンテンツ受信部４４０は当該コンテンツ「集計画面」を受信する。携帯情報端末４０の表示部４１０は、図６（ｂ）に示すように、データ表示領域４６にテキスト「○○の集計結果です。」、集計結果を含むコンテンツ「集計画面」を表示する（Ｓ３４０）。なお、携帯情報端末４０の表示部４１０は、映像表示領域４４に放送内容「バラエティー番組」の映像を表示している（同ステップ）。そして本フローチャートは終了する。
【００４１】
本フローチャートによれば、コンテンツサーバ３０は、コンテンツ生成情報「集計画面生成情報」、テンプレート格納部３５０に格納されたテンプレート、および、入力情報格納部３４０に格納された回答情報に基づいて、放送内容「バラエティー番組」に関連する、未公開であるコンテンツ「集計画面」を自動的に生成することができる。
【００４２】
図７は、図５に続いて、図２に示すコンテンツサーバ３０等の動作の一例を示すフローチャートである。図８は、携帯情報端末４０のディスプレイ４２に表示された情報の一例を示す。
【００４３】
本フローチャートは、放送サーバ２０が放送内容、リンク、および、図５のコンテンツ生成情報に続くコンテンツ生成情報を含む放送波を出力することにより開始する。ここでは放送サーバ２０が、放送内容「バラエティー番組」、リンク「ｈｔｔｐ：／／ＸＸＸ．ｊｐ／Ｙ３．ｂｍｌ」、および、コンテンツ生成情報「正解画面生成情報」を含む放送波を出力することにより開始する。
【００４４】
図３、図５の場合と同様に、説明のために下記事例を用いる。コンテンツ生成情報「正解画面生成情報」は、質問の正解を含むコンテンツ「正解画面」を生成するのに用いられる情報であって、コンテンツサーバ３０がコンテンツ「正解画面」を生成する制御情報、および、コンテンツ「正解画面」の素材であるテキスト「正解発表！！」「Ｂが勝ちました。」を保持する。また、本フローチャートの開始時において、テンプレート格納部３５０は、コンテンツ「正解画面」を生成するのに用いられるテンプレートを格納している。なお、他の条件は、図３、図５に示すフローチャートの場合と同様とする。
【００４５】
携帯情報端末４０の放送波受信部４００は放送波を受信する（Ｓ５００）。携帯情報端末４０の表示部４１０は、図８（ａ）に示すように、データ表示領域４６にリンク「ｈｔｔｐ：／／ＸＸＸ．ｊｐ／Ｙ３．ｂｍｌ」を表示する（Ｓ５１０）。なお、携帯情報端末４０の表示部４１０は、映像表示領域４４に放送内容「バラエティー番組」の映像を表示し（同ステップ）、データ表示領域４６に放送内容「バラエティー番組」のデータ放送「正解発表！！お見逃しの方はこちらから」を表示する（同ステップ）。なお、図８（ａ）において携帯情報端末４０の表示部４１０は、映像表示領域４４に放送内容「バラエティー番組」のスポットＣＭを表示している。
【００４６】
コンテンツサーバ３０の放送波受信部３００は放送波を受信する（Ｓ６００）。コンテンツサーバ３０のコンテンツ生成部３１０は、コンテンツ生成情報「正解画面生成情報」、および、テンプレート格納部３５０に格納されたテンプレートに基づいて、放送内容「バラエティー番組」に関連するコンテンツ「正解画面」を生成し（Ｓ６１０）、生成したコンテンツ「正解画面」をリンク先であるルートディレクトリ直下にファイル名「Ｙ３．ｂｍｌ」として格納する（Ｓ６２０）。
【００４７】
携帯情報端末４０のリンク受付部４２０は、ステップＳ５１０において表示されたリンク「ｈｔｔｐ：／／ＸＸＸ．ｊｐ／Ｙ３．ｂｍｌ」がクリックされたか否かを判断する（Ｓ５２０）。ステップＳ５２０においてリンク受付部４２０はリンク「ｈｔｔｐ：／／ＸＸＸ．ｊｐ／Ｙ３．ｂｍｌ」がクリックされたと判断した場合には（Ｓ５２０：Ｙｅｓ）、携帯情報端末４０のコンテンツ受信部４４０は、リンク「ｈｔｔｐ：／／ＸＸＸ．ｊｐ／Ｙ３．ｂｍｌ」により示されたファイル名「Ｙ３．ｂｍｌ」であるコンテンツ「正解画面」を送信すべき旨の要求をコンテンツサーバ３０のコンテンツ送信部３３０に送信する（Ｓ５３０）。一方、ステップＳ５２０において携帯情報端末４０のリンク受付部４２０はリンク「ｈｔｔｐ：／／ＸＸＸ．ｊｐ／Ｙ３．ｂｍｌ」がクリックされていないと判断した場合には（Ｓ５２０：Ｎｏ）、ステップＳ５３０およびステップＳ５４０を飛ばして本フローチャートは終了する。
【００４８】
上記ステップＳ５３０に続き、コンテンツサーバ３０のコンテンツ送信部３３０は、ファイル名「Ｙ３．ｂｍｌ」であるコンテンツ「正解画面」を送信すべき旨の要求を受信したか否かを判断する（Ｓ６３０）。ステップＳ６３０においてコンテンツ送信部３３０は、ファイル名「Ｙ３．ｂｍｌ」であるコンテンツ「正解画面」を送信すべき旨の要求を受信したと判断した場合には（Ｓ６３０：Ｙｅｓ）、コンテンツ送信部３３０は、ファイル名「Ｙ３．ｂｍｌ」であるコンテンツ「正解画面」を携帯情報端末４０のコンテンツ受信部４４０に送信する（Ｓ６４０）。一方、ステップＳ６３０においてコンテンツサーバ３０のコンテンツ送信部３３０は、ファイル名「Ｙ３．ｂｍｌ」であるコンテンツ「正解画面」を送信すべき旨の要求を受信していないと判断した場合には（Ｓ６３０：Ｎｏ）、ステップＳ６４０を飛ばして本フローチャートは終了する。
【００４９】
上記ステップＳ６４０に続き、携帯情報端末４０のコンテンツ受信部４４０は当該コンテンツ「正解画面」を受信する。携帯情報端末４０の表示部４１０は、図８（ｂ）に示すように、データ表示領域４６にテキスト「正解発表！！」および「Ｂが勝ちました。」を含むコンテンツ「正解画面」を表示する（Ｓ５４０）。なお、携帯情報端末４０の表示部４１０は、映像表示領域４４に放送内容「バラエティー番組」の映像を表示している（同ステップ）。そして本フローチャートは終了する。
【００５０】
本フローチャートによれば、コンテンツサーバ３０は、コンテンツ生成情報「正解画面生成情報」、および、テンプレート格納部３５０に格納されたテンプレートに基づいて、放送内容「バラエティー番組」に関連する、未公開であるコンテンツ「正解画面」を自動的に生成することができる。
【００５１】
なお、コンテンツ送信システム１０は、クイズに関するコンテンツを生成することもできる。すなわち、コンテンツ送信システム１０は、図３および図７に示すように、放送内容「バラエティー番組」に関連する、未公開であるクイズのコンテンツ「質問画面」「正解画面」を生成することができる。
【００５２】
なお、図３に示すフローチャートのステップＳ１６０において、携帯情報端末４０のコンテンツ受信部４４０は、携帯情報端末４０のユーザを識別するユーザ識別情報に対応付けて回答情報を送信してもよい。そしてステップＳ２６０において、コンテンツサーバ３０の入力情報格納部３４０は、ユーザ識別情報に対応付けて回答情報を格納してもよい。この場合、図５に示すフローチャートのステップＳ４３０において、コンテンツサーバ３０のコンテンツ送信部３３０は、回答情報に対応付けて入力情報格納部３４０に格納されたユーザ識別情報により識別されるユーザが使用する携帯情報端末４０からコンテンツ「集計画面」を送信すべき旨の要求を受信したと判断した場合には（ステップＳ４３０：Ｙｅｓ）に、コンテンツ「集計画面」を当該携帯情報端末４０に送信してもよい（Ｓ４４０）。
【００５３】
図９は、図２に示すコンテンツサーバ３０等の動作の一例を示すフローチャートである。なお、本フローチャートの左側は携帯情報端末４０の動作を、右側はコンテンツサーバ３０の動作を示す。図１０は、携帯情報端末４０のディスプレイ４２に表示された情報の一例を示す。
【００５４】
本フローチャートは、放送サーバ２０が放送内容、リンク、および、コンテンツ生成情報を含む放送波を出力することにより開始する。ここでは放送サーバ２０が、放送内容「バラエティー番組」、リンク「ｈｔｔｐ：／／ＸＸＸ．ｊｐ／Ｙ４．ｂｍｌ」、および、コンテンツ生成情報「用語画面生成情報」を含む放送波を出力することにより開始するものとする。
【００５５】
図３等の場合と同様に、説明のために下記事例を用いる。コンテンツ生成情報「用語画面生成情報」は、用語の説明を含むコンテンツ「用語画面」を生成するのに用いられる情報であって、コンテンツサーバ３０がコンテンツ「用語画面」を生成する制御情報、および、コンテンツ「用語画面」の素材であるテキスト「見切れる：状況的に入れるべきでないスタッフの姿や機材などが隠れずに見えてしまうこと。」を保持する。また、本フローチャートの開始時において、テンプレート格納部３５０は、コンテンツ「用語画面」を生成するのに用いられるテンプレートを格納している。なお、他の条件は、図３等に示すフローチャートの場合と同様とする。
【００５６】
携帯情報端末４０の放送波受信部４００は放送波を受信する（Ｓ７００）。携帯情報端末４０の表示部４１０は、図１０（ａ）に示すように、データ表示領域４６にリンク「ｈｔｔｐ：／／ＸＸＸ．ｊｐ／Ｙ４．ｂｍｌ」を表示する（Ｓ７１０）。なお、携帯情報端末４０の表示部４１０は、映像表示領域４４に放送内容「バラエティー番組」の映像を表示し（同ステップ）、データ表示領域４６に放送内容「バラエティー番組」のデータ放送「「見切れる」とは？」を表示する（同ステップ）。なお、ステップＳ７１０を実行する前に放送内容「バラエティー番組」において出演者の一人が「見切れる」と発したものとする。
【００５７】
コンテンツサーバ３０の放送波受信部３００は放送波を受信する（Ｓ８００）。コンテンツサーバ３０のコンテンツ生成部３１０は、コンテンツ生成情報「用語画面生成情報」、および、テンプレート格納部３５０に格納されたテンプレートに基づいて、放送内容「バラエティー番組」に関連するコンテンツ「用語画面」を生成し（Ｓ８１０）、生成したコンテンツ「用語画面」をリンク先であるルートディレクトリ直下にファイル名「Ｙ４．ｂｍｌ」として格納する（Ｓ８２０）。
【００５８】
携帯情報端末４０のリンク受付部４２０は、ステップＳ７１０において表示されたリンク「ｈｔｔｐ：／／ＸＸＸ．ｊｐ／Ｙ４．ｂｍｌ」がクリックされたか否かを判断する（Ｓ７２０）。ステップＳ７２０においてリンク受付部４２０はリンク「ｈｔｔｐ：／／ＸＸＸ．ｊｐ／Ｙ４．ｂｍｌ」がクリックされたと判断した場合には（Ｓ７２０：Ｙｅｓ）、携帯情報端末４０のコンテンツ受信部４４０は、リンク「ｈｔｔｐ：／／ＸＸＸ．ｊｐ／Ｙ４．ｂｍｌ」により示されたファイル名「Ｙ４．ｂｍｌ」であるコンテンツ「用語画面」を送信すべき旨の要求をコンテンツサーバ３０のコンテンツ送信部３３０に送信する（Ｓ７３０）。一方、ステップＳ７２０において携帯情報端末４０のリンク受付部４２０はリンク「ｈｔｔｐ：／／ＸＸＸ．ｊｐ／Ｙ４．ｂｍｌ」がクリックされていないと判断した場合には（Ｓ７２０：Ｎｏ）、ステップＳ７３０およびステップＳ７４０を飛ばして本フローチャートは終了する。
【００５９】
上記ステップＳ７３０に続き、コンテンツサーバ３０のコンテンツ送信部３３０は、ファイル名「Ｙ４．ｂｍｌ」であるコンテンツ「用語画面」を送信すべき旨の要求を受信したか否かを判断する（Ｓ８３０）。ステップＳ８３０においてコンテンツ送信部３３０は、ファイル名「Ｙ４．ｂｍｌ」であるコンテンツ「用語画面」を送信すべき旨の要求を受信したと判断した場合には（Ｓ８３０：Ｙｅｓ）、コンテンツ送信部３３０は、ファイル名「Ｙ４．ｂｍｌ」であるコンテンツ「用語画面」を携帯情報端末４０のコンテンツ受信部４４０に送信する（Ｓ８４０）。一方、ステップＳ８３０においてコンテンツサーバ３０のコンテンツ送信部３３０は、ファイル名「Ｙ４．ｂｍｌ」であるコンテンツ「用語画面」を送信すべき旨の要求を受信していないと判断した場合には（Ｓ８３０：Ｎｏ）、ステップＳ８４０を飛ばして本フローチャートは終了する。
【００６０】
上記ステップＳ８４０に続き、携帯情報端末４０のコンテンツ受信部４４０は当該コンテンツ「用語画面」を受信する。携帯情報端末４０の表示部４１０は、図１０（ｂ）に示すように、データ表示領域４６にテキスト「見切れる：状況的に入れるべきでないスタッフの姿や機材などが隠れずに見えてしまうこと。」を含むコンテンツ「用語画面」を表示する（Ｓ７４０）。なお、携帯情報端末４０の表示部４１０は、映像表示領域４４に放送内容「バラエティー番組」の映像を表示している（同ステップ）。そして本フローチャートは終了する。なお、用語画面にテキスト全文が収まらない場合は、次ページ表示、スクロール表示などにより全文を表示する。
【００６１】
本フローチャートによれば、コンテンツサーバ３０は、コンテンツ生成情報「用語画面生成情報」、および、テンプレート格納部３５０に格納されたテンプレートに基づいて、放送内容「バラエティー番組」に関連する、未公開であるコンテンツ「用語画面」を自動的に生成することができる。
【００６２】
なお、図３、図５、図７および図９に示すフローチャートにおいて、放送サーバ２０は、放送内容およびコンテンツ生成情報を含む放送波を出力した後に、放送内容およびリンクを含む放送波を出力してもよい。これにより、コンテンツサーバ３０のコンテンツ生成部３１０は、先ず、放送波受信部３００が放送内容およびコンテンツ生成情報を含む放送波を受信したときに、コンテンツ生成情報およびテンプレート格納部３５０に格納されたテンプレートに基づいてコンテンツを生成し（Ｓ２１０、Ｓ４１０、Ｓ６１０、Ｓ８１０）、次に、放送波受信部３００が放送内容、リンクおよびコンテンツ生成情報を含む放送波を受信したときに、生成したコンテンツをそのリンク先に格納してもよい（Ｓ２２０、Ｓ４２０、Ｓ６２０、Ｓ８２０）。これにより、当該コンテンツが格納されるタイミングと、当該コンテンツを送信すべき旨の要求を受信するタイミングとを調整することができる。
【００６３】
図１１は、コンテンツサーバ３０および携帯情報端末４０のブロック図の他の一例を示す。コンテンツサーバ３０は、図１１に示すように、放送波受信部５００、コンテンツ生成部５１０、コンテンツ生成情報格納部５２５、コンテンツ送信部５３０、入力情報格納部５４０、および、テンプレート格納部５５０を備える。
【００６４】
コンテンツ生成情報格納部５２５は、放送波受信部５００が放送波を受信した場合に、放送波に含まれるコンテンツ生成情報をリンク先に対応付けて格納する。
【００６５】
コンテンツ生成部５１０は、携帯情報端末４０からリンク先のコンテンツを送信すべき旨の要求があった場合に、当該リンク先に対応付けて前記コンテンツ格納部に格納された前記コンテンツ生成情報に基づいてコンテンツを生成する。
【００６６】
コンテンツ送信部３３０は、コンテンツ生成部５１０により生成されたコンテンツを携帯情報端末４０のコンテンツ受信部４４０に送信する。
【００６７】
なお、放送波受信部５００、入力情報格納部５４０、テンプレート格納部５５０は、図２に示す放送波受信部３００、入力情報格納部３４０、テンプレート格納部３５０と同様なので説明を省略する。また、図１１に示す携帯情報端末４０の各部は、図２に示す対応する同符号の各部と同様なので説明を省略する。
【００６８】
図１１に示すコンテンツサーバ３０によれば、コンテンツを送信すべき旨の要求があったときに、コンテンツが生成されるので、コンテンツを送信すべき旨の要求する時間に応じて異なる量のコンテンツ生成情報に基づいてコンテンツを生成することができる。また、コンテンツを送信すべき旨の要求する時間に応じて異なる量のユーザ入力情報に基づいてコンテンツを生成することができる。
【００６９】
図１２は、図１１に示すコンテンツサーバ３０等の動作の一例を示すフローチャートである。本フローチャートの左側は携帯情報端末４０の動作を、右側はコンテンツサーバ３０の動作を示す。
【００７０】
本フローチャートは、図５の場合と同様に、放送サーバ２０が放送内容、リンク、および、図３のコンテンツ生成情報に続くコンテンツ生成情報を含む放送波を出力することにより開始する。ここでは図５の場合と同様に、放送サーバ２０が、放送内容「バラエティー番組」、リンク「ｈｔｔｐ：／／ＸＸＸ．ｊｐ／Ｙ２．ｂｍｌ」、および、コンテンツ生成情報「集計画面生成情報」を含む放送波を出力することにより開始する。
【００７１】
また、図５の場合と同様に、本フローチャートの開始時において、テンプレート格納部３５０は、コンテンツ「集計画面」を生成するのに用いられるテンプレートを格納している。また、入力情報格納部３４０は、複数のユーザから受信した回答情報を格納しているものとする。
【００７２】
ただし、図５の場合と異なり、コンテンツ「集計画面」を生成するのに用いられる複数のコンテンツ生成情報「集計画面生成情報」を受信して、受信した複数のコンテンツ生成情報「集計画面生成情報」に基づいてコンテンツを生成するものとする。
【００７３】
携帯情報端末４０の放送波受信部４００は放送波を受信する（Ｓ９００）。コンテンツサーバ３０の放送波受信部５００は放送波を受信する（Ｓ１０００）。携帯情報端末４０の表示部４１０は、図６（ａ）に示すように、データ表示領域４６にリンク「ｈｔｔｐ：／／ＸＸＸ．ｊｐ／Ｙ２．ｂｍｌ」を表示する（Ｓ９１０）。
【００７４】
コンテンツサーバ３０の放送波受信部５００は、受信した放送波に含まれるコンテンツ生成情報をリンク「ｈｔｔｐ：／／ＸＸＸ．ｊｐ／Ｙ２．ｂｍｌ」に対応付けて格納する（Ｓ１０２０）。
【００７５】
携帯情報端末４０のリンク受付部４２０は、ステップＳ３１０において表示されたリンク「ｈｔｔｐ：／／ＸＸＸ．ｊｐ／Ｙ２．ｂｍｌ」がクリックされたか否かを判断する（Ｓ９２０）。ステップＳ９２０においてリンク受付部４２０はリンク「ｈｔｔｐ：／／ＸＸＸ．ｊｐ／Ｙ２．ｂｍｌ」がクリックされたと判断した場合には（Ｓ９２０：Ｙｅｓ）、携帯情報端末４０のコンテンツ受信部４４０は、リンク「ｈｔｔｐ：／／ＸＸＸ．ｊｐ／Ｙ２．ｂｍｌ」により示されたファイル名「Ｙ２．ｂｍｌ」であるコンテンツ「集計画面」を送信すべき旨の要求をコンテンツサーバ３０のコンテンツ送信部５３０に送信する（Ｓ９３０）。
【００７６】
上記ステップＳ９３０に続き、コンテンツサーバ３０のコンテンツ送信部５３０は、ファイル名「Ｙ２．ｂｍｌ」であるコンテンツ「集計画面」を送信すべき旨の要求を受信したか否かを判断する（Ｓ１０３０）。ステップＳ１０３０においてコンテンツ送信部５３０は、ファイル名「Ｙ２．ｂｍｌ」であるコンテンツ「集計画面」を送信すべき旨の要求を受信したと判断した場合には（Ｓ１０３０：Ｙｅｓ）、コンテンツサーバ３０のコンテンツ生成部５１０は、コンテンツ生成情報格納部５２５に格納されたコンテンツ生成情報「集計画面生成情報」、テンプレート格納部５５０に格納されたテンプレート、および、入力情報格納部５４０に格納された回答情報に基づいて、ファイル名「Ｙ２．ｂｍｌ」として、放送内容「バラエティー番組」に関連するコンテンツ「集計画面」を生成する（Ｓ１０３５）。続いて、コンテンツ送信部５３０は、ファイル名「Ｙ２．ｂｍｌ」であるコンテンツ「集計画面」を携帯情報端末４０のコンテンツ受信部４４０に送信する（Ｓ１０４０）。
【００７７】
コンテンツサーバ３０の非図示の終了判断部は、コンテンツサーバ３０の動作が終了したか否かを判断する（Ｓ１０５０）。例えば、コンテンツサーバ３０の終了判断部は、コンテンツサーバ３０の放送波受信部５００から、放送波受信部５００が正常に動作している旨を示す信号を周期的に受信することによりコンテンツサーバ３０の動作が終了したか否かを判断する。ステップＳ１０５０においてコンテンツサーバ３０の終了判断部は、コンテンツサーバ３０の動作が終了していないと判断した場合には（Ｓ１０５０：Ｎｏ）、ステップＳ１０００に戻る。一方、コンテンツサーバ３０の終了判断部は、コンテンツサーバ３０の動作が終了したと判断した場合（Ｓ１０５０：Ｙｅｓ）、本フローチャートは終了する。
【００７８】
上記ステップＳ１０４０に続き、携帯情報端末４０のコンテンツ受信部４４０は当該コンテンツ「集計画面」を受信する。携帯情報端末４０の表示部４１０は、データ表示領域４６にテキスト「○○の集計結果です。」、集計結果を含むコンテンツ「集計画面」を表示する（Ｓ９４０）。
【００７９】
携帯情報端末４０の非図示の終了判断部は、携帯情報端末４０の受信動作が終了したか否かを判断する（Ｓ９５０）。例えば、携帯情報端末４０の終了判断部は、携帯情報端末４０の放送波受信部４００から、放送波受信部４００が正常に動作している旨を示す信号を周期的に受信することによりコンテンツサーバ３０の動作が終了したか否かを判断する。ステップＳ９５０において携帯情報端末４０の終了判断部は、携帯情報端末４０の動作が終了していないと判断した場合には（Ｓ９５０：Ｎｏ）、ステップＳ９００に戻る。一方、携帯情報端末４０の終了判断部は、携帯情報端末４０の動作が終了したと判断した場合（Ｓ９５０：Ｙｅｓ）、本フローチャートは終了する。
【００８０】
一方、ステップＳ９２０において携帯情報端末４０のリンク受付部４２０はリンク「ｈｔｔｐ：／／ＸＸＸ．ｊｐ／Ｙ２．ｂｍｌ」がクリックされていないと判断した場合には（Ｓ９２０：Ｎｏ）、ステップＳ９３０およびステップＳ９４０を飛ばしてステップＳ９５０を実行する。
【００８１】
一方、ステップＳ１０３０においてコンテンツサーバ３０のコンテンツ送信部５３０は、ファイル名「Ｙ２．ｂｍｌ」であるコンテンツ「集計画面」を送信すべき旨の要求を受信していないと判断した場合には（Ｓ１０３０：Ｎｏ）、ステップＳ１０３５、１０４０を飛ばしてステップＳ１０５０を実行する。
【００８２】
本フローチャートによれば、コンテンツサーバ３０は、コンテンツ生成情報「集計画面生成情報」、テンプレート格納部３５０に格納されたテンプレート、および、入力情報格納部３４０に格納された回答情報に基づいて、放送内容「バラエティー番組」に関連する、未公開であるコンテンツ「集計画面」を自動的に生成することができる。また、コンテンツを送信すべき旨の要求があったときに、コンテンツ「集計画面」が生成されるので、コンテンツを送信すべき旨の要求する時間に応じて異なるコンテンツ生成情報「集計画面生成情報」に基づいて、または、複数のコンテンツ生成情報「集計画面生成情報」に基づいて、コンテンツ「集計画面」を生成することができる。例えば、コンテンツサーバ３０は、テキスト「○○の集計結果です。」を含む「集計画面生成情報」に加えて、テキスト「ただいま受付中！！」を含む「集計画面生成情報」、「受付終了まで○○分です」を含む「集計画面生成情報」、「受付完了しました。」を含む「集計画面生成情報」などを受信することにより（Ｓ１０００）、テキスト「ただいま受付中！！」、テキスト「○○の集計結果です。」、および集計結果を含むコンテンツ「集計画面」や、テキスト「受付終了まで○○分です」、テキスト「○○の集計結果です。」および集計結果を含むコンテンツ「集計画面」を携帯情報端末４０に送信することができる（Ｓ１０４０）。この場合、各コンテンツ生成情報「集計画面生成情報」には、他のコンテンツ生成情報「集計画面生成情報」を特定する連係情報を保持し、この連係情報に基づいて複数のコンテンツ生成情報「集計画面生成情報」に基づいてコンテンツ「集計画面」を生成する。
【００８３】
以上、本実施例によれば、広帯域な有線のネットワークを敷設することなく、リンク先にコンテンツを格納させることができる。また、ネットワークを敷設しないのでその管理費用を削減することができる。さらに、放送内容に関連した未公開のコンテンツを自動的に生成することができる。また、コンテンツ生成情報が放送波に重畳されているので、コンテンツを生成するタイミングと、放送内容が再生されるタイミングとを、放送波の出力時に制御することができる。
【００８４】
なお、コンテンツ生成情報は、テンプレート格納部３５０に格納されるテンプレートに相当する情報を含み、コンテンツサーバ３０のコンテンツ生成部３１０は、テンプレート格納部３５０に格納されたテンプレートを用いることなく、コンテンツを自動的に生成してもよい。
【００８５】
なお、本実施例は、端末の一例としてＣプロファイルによる１セグメント受信機を用いて説明したが、端末はＡプロファイルによる１３セグメント受信機などであってもよい。
【００８６】
また、放送波に含まれるコンテンツ生成情報は、コンテンツサーバ３０のコンテンツ生成部３１０において参照される情報であって、携帯情報端末４０のディスプレイ４２に表示されない情報であることが好ましい。
【００８７】
一例として、ＢＭＬのスクリプトのプロファイルを利用する。具体的にはｉｄを独自定義し、そのｉｄをｈｉｄｄｅｎ属性にしてもよい。この場合、放送サーバ２０は、この独自定義ｉｄによって、ディスプレイ４２に表示されないデータとしてコンテンツ生成情報を出力し、携帯情報端末４０はコンテンツ生成情報を画面出力することなく、コンテンツサーバ３０はコンテンツ生成情報を用いてコンテンツを生成する。実際のコーディングは以下のようになり、この場合''ｋａｋｕｓｈｉ''というｉｄを持つｐ要素が表示対象外となる。
【００８８】
＜ｈｅａｄ＞
＜ｓｃｒｉｐｔ＞
''ｄｏｃｕｍｅｎｔ．ｇｅｔＥｌｅｍｅｎｔＢｙＩｄ（''ｋａｋｕｓｈｉ''）ｎｏｒｍａｌＳｔｙｌｅ．ｖｉｓｉｂｉｌｉｔｙ＝''ｈｉｄｄｅｎ''；
＜／ｓｃｒｉｐｔ＞
＜／ｈｅａｄ＞
＜ｂｏｄｙ＞
＜ｐ  ｉｄ＝''ｋａｋｕｓｈｉ''＞隠し要素＜／ｐ＞
・・・
＜／ｂｏｄｙ＞
【００８９】
他の一例としては、ＢＭＬのコメントタグを利用し、コメント内に記載するフォーマットを独自定義し、放送サーバ２０とコンテンツサーバ３０が解析し、処理できるようにしても良い。
【００９０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００９１】
【図１】コンテンツ送信システム１０の概略図を模式的に示す。
【図２】コンテンツサーバ３０および携帯情報端末４０のブロック図の一例を示す。
【図３】図２に示すコンテンツサーバ３０等の動作の一例を示すフローチャートである。
【図４】携帯情報端末４０のディスプレイ４２に表示された情報の一例を示す。
【図５】図２に示すコンテンツサーバ３０等の動作の一例を示すフローチャートである。
【図６】携帯情報端末４０のディスプレイ４２に表示された情報の一例を示す。
【図７】図２に示すコンテンツサーバ３０等の動作の一例を示すフローチャートである。
【図８】携帯情報端末４０のディスプレイ４２に表示された情報の一例を示す。
【図９】図２に示すコンテンツサーバ３０等の動作の一例を示すフローチャートである。
【図１０】携帯情報端末４０のディスプレイ４２に表示された情報の一例を示す。
【図１１】コンテンツサーバ３０および携帯情報端末４０のブロック図の他の一例を示す。
【図１２】図１１に示すコンテンツサーバ３０等の動作の一例を示すフローチャートである。
【符号の説明】
【００９２】
１０  コンテンツ送信システム
１２  コンテンツ送信システム
２０  放送サーバ
３０  コンテンツサーバ
４０  携帯情報端末
４２  ディスプレイ
４４  映像表示領域
４６  データ表示領域
４８  操作パネル
５０  コンテンツサーバ
７０  ネットワーク
３００  放送波受信部
３１０  コンテンツ生成部
３２０  コンテンツ格納部
３３０  コンテンツ送信部
３４０  入力情報格納部
３５０  テンプレート格納部
４００  放送波受信部
４１０  表示部
４２０  リンク受付部
４３０  入力情報受付部
４４０  コンテンツ受信部
５００  放送波受信部
５１０  コンテンツ生成部
５２５  コンテンツ生成情報格納部
５３０  コンテンツ送信部
５４０  入力情報格納部
５５０  テンプレート格納部
【図１】
2008085496.tif 000003
【図２】
2008085496.tif 000004
【図３】
2008085496.tif 000005
【図４】
2008085496.tif 000006
【図５】
2008085496.tif 000007
【図６】
2008085496.tif 000008
【図７】
2008085496.tif 000009
【図８】
2008085496.tif 000010
【図９】
2008085496.tif 000011
【図１０】
2008085496.tif 000012
【図１１】
2008085496.tif 000013
【図１２】
2008085496.tif 000014